(57)【要約】【課題】ＶＴＲのインサート編集時に、インサート編集時のトラックシフトにより、インサート編集終了点でインサート未編集領域の先頭トラックがインサート編集領域の最終トラックによりトラックが削られる事のない情報記録再生装置を提供する。【解決手段】編集制御管理装置１３より出力されるインサート編集終了信号を遅延器９によりインサート終了動作を遅延させた間シフト器１０により、従来と逆方向にシフトを行い、シフト動作をトラックカウンタ１２のカウント値により、シフト量変化装置１４で変化させる事により、シフト動作を段階的に行う。このことによりインサート編集終了時の未編集点の先頭トラックのトラック痩せを防ぐ。【選択図】  図１
2004185712.tif 000002
【特許請求の範囲】
【請求項１】
循環的に４トラック以上の周期で２種類以上の相異なるトラッキングパイロット信号が選択的に記録されたテープ媒体に対し、回転シリンダ上に取り付けられたヘッドを回転走査させる事により信号を再生させる情報記録再生装置であって、第１のヘッドと、前記第１ヘッドの走査軌跡とほぼ１トラックだけトラック幅方向にずれた位置を走査する第２のヘッドと、前記第１のヘッドから、走査トラックに隣接するトラックに記録されたトラッキングパイロット信号振幅を検出し、トラッキング誤差信号を作成出力するトラッキング誤差検出手段と、前記トラッキング誤差信号に基づいてトラッキング制御を行うトラッキング制御手段と、前記第２のヘッドの再生信号から少なくとも１種類のトラッキングパイロット信号の振幅を検出し、これに基づいてトラック幅方向の検出感度を推定する感度推定手段と、前記感度推定手段の出力信号に基づいて前記トラッキング制御手段に作用し、前記トラックに対する前記ヘッドの走査位置を所望の方向に所定量シフトさせるシフト手段と、インサート編集の開始、終了を管理する編集制御管理装置と、前記編集制御管理装置より出力されるインサート編集終了指令信号を一定時間遅延させる遅延装置と前記遅延装置による遅延時間内のトラック数をカウントするカウンタと、前記カウンタによりカウントされた値により、トラックシフトのシフト量を段階的に変化させるシフト量変化装置とを具備する情報記録再生装置。
【請求項２】
前記トラック数カウンタは、トラックを走査するヘッドの切り替え回数に等しい回転シリンダの回転周期の１／２の周期で極性を入れ替えるＨＩＤ信号を用いてトラック数カウンタとする請求項１に記載の情報記録再生装置
【請求項３】
前記シフト量可変装置は、最終トラック位置が、トラック幅方向の中心とヘッドのトラック幅方向の中心が一致するようにトラックシフト量を変化させ、必要なトラックシフト量をＮ個に分割してシフト量の増減を行う、請求項１に記載の情報記録再生装置
【発明の詳細な説明】
【０００１】
【発明の属する技術分野】本発明は、画像、音声、データ等の情報をテープ状媒体から再生する情報記録再生装置について、特に記録したあとでインサート編集を行うことに関する。
【０００２】
【従来の技術】
従来の技術では、インサート編集開始時に未編集領域のトラックやせを防ぐためトラックシフトを行うが、編集終了までトラックをシフトしたままである。（例えば特許文献１参照）
【０００３】
【特許文献１】
特開平７−１２１９４３号公報
【０００４】
【発明が解決しようとする課題】
しかしながら従来の情報記録再生装置におけるインサート編集ではインサート編集開始点ではインサート編集領域のトラックが未編集領域のトラックを削る事は無いが、インサート編集終了点において、インサート編集領域の最終トラックが隣接する未編集トラック上に上書きしてしまい、前期未編集トラックがトラックやせが生じてしまう。このような記録を行うと、編集終了点での編集領域と未編集領域のつなぎ目での情報の再現性を損ねるものである。
【０００５】
本発明は、インサート編集の終了点付近で現行とは逆方向にトラックシフトする事により上記問題点を解決する情報帰記録再生装置を提供する事を目的としている。
【０００６】
【課題を解決するための手段】
上記課題を解決するためには、インサート編集開始時点で従来どおりにトラックシフトを行い、編集最終点より数フレーム手前から逆方向にトラックシフトを開始し徐々にトラックシフトを行うようにすることで、編集終了点すぐ後の先頭トラックのトラックやせを低減させることができるものである。
【０００７】
【発明の実施の形態】
請求項１に記載の発明は循環的に４トラック以上の周期で２種類以上の相異なるトラッキングパイロット信号が選択的に記録されたテープ媒体に対し、回転シリンダ上に取り付けられたヘッドを回転走査させる事により信号を再生させる情報再記録生装置であって、第１のヘッドと、前記第１ヘッドの走査軌跡とほぼ１トラックだけトラック幅方向にずれた位置を走査する第２のヘッドと、前記第１のヘッドから、走査トラックに隣接するトラックに記録されたトラッキングパイロット信号振幅を検出し、トラッキング誤差信号を作成出力するトラッキング誤差検出手段と、前記トラッキング誤差信号に基づいてトラッキング制御を行うトラッキング制御手段と、前記第２のヘッドの再生信号から少なくとも１種類のトラッキングパイロット信号の振幅を検出し、これに基づいてトラック幅方向の検出感度を推定する感度推定手段と、前記感度推定手段の出力信号に基づいて前記トラッキング制御手段に作用し、前記トラックに対する前記ヘッドの走査位置を所望の方向に所定量シフトさせるシフト手段と、インサート編集の開始、終了を管理するモード制御管理装置と前期モード管理装置より出力されるインサート編集終了指令信号を一定時間遅延させる遅延装置と前期遅延装置による遅延時間内のトラック数をカウントするカウンタと、前記カウンタによりカウントされた値により、トラックシフトのシフト量を段階的に変化させるシフト量変化装置とを具備する事を特徴とする事により、インサート編集終了点にて未編集領域の先頭トラックのトラック痩せを防止する事ができる。
【０００８】
請求項２に記載の発明は特に請求項１のトラック数カウンタをトラックを走査するヘッドの切り替え回数に等しい回転シリンダの回転周期の１／２の周期で極性を入れ替えるＨＩＤ信号を用いてトラック数カウンタととする事により、トラック数をカウントするのと等しい効果を得る事ができ、擬似的にトラック数をカウントする事ができる。
【０００９】
請求項３に記載の発明は特に請求項１のシフト量可変装置を、最終トラック位置が、トラック幅方向の中心とヘッドのトラック幅方向の中心が一致するようにトラックシフト量を変化させ、必要なトラックシフト量をＮ個に分割してシフト量の増減を行う事により、段階的にトラックシフトを行うことができ、急激なトラック幅の変化を抑制する事ができる。
【００１０】
（実施の形態１）
以下、本発明の情報記録再生装置の実施例について、図面を参照しながら説明する    図１は本発明の第１の実施例における情報記録再生装置のインサート編集終了時のブロック図である。図１において、１は磁気テープ、２ａ，２ｂは互いに異なるアジマスを持つ磁気ヘッド、３はシリンダ、４は制御器である。５はパイロット信号よりトラッキング誤差信号を検出するトラッキング誤差検出器、６はテープ位相を制御する位相制御器、７はキャプスタンモータ、８はキャプスタンモータの回転制御を行うキャプスタン制御器、９はインサート編集終了指令を一定時間遅延させる為の遅延器、１０はトラッキングシフトを行うシフト器、１１はインサート終了指令を受けてからのトラック数をカウントするトラック数カウンタ１２は各トラック内で書き込み、再生の切り替えを行う情報書き込み制御器であり、１３はインサート編集の開始、終了信号を制御する編集制御管理装置であり、１４はシフト量を変化させるシフト量変化装置である。
本発明の実施例における記録トラックの構成は図２に示す従来例と同様のものである。トラックは図に示したように、先頭からインサート編集行うときに、編集点の位置決めを行うための位置決め情報信号の埋め込まれたインサート情報領域（ＩＴＩ領域）、音声信号の記録されたオーディオ領域（ＡＵＤＩＯ領域）、映像信号を記録したビデオ領域（ＶＩＤＥＯ領域）、各トラックのタイムコード等の情報の記録されたサブコード領域（ＳＵＢＣＯＤＥ領域）の４つの領域が記録時に形成されている。
トラック中のオーディオ、ビデオ、サブコード、の各領域の内部は、セグメントに分割されており、各セグメントに同期信号（Ｓｙｎｃ）、実データ、訂正信号がデジタル記録されている。
また、先頭のＩＴＩ領域には位置決め情報信号とともに、インサート編集時にトラッキング制御を行うためのパイロット信号が多重記録されている。
次に、インサート編集中のトラッキング制御について説明する。インサート編集中は１トラック内で編集したい情報（オーディオ、ビデオ）の領域以外は再生状態とし、編集したい信号のみ記録状態としている。そのため再生状態にある領域よりトラッキング情報を得るためのパイロット信号を検出する事が可能である。インサート編集中にはこのパイロット信号によりトラッキング制御を行っている。
この時、通常の再生と同じトラッキング制御を行うと、トラック幅方向の中心とヘッドのトラック幅方向の中心が一致するように制御が行われてしまい、その状態で記録を行うと未編集領域の編集開始点でのトラック痩せとなるため、トラッキングを適当量シフトさせて記録し、トラック痩せを防ぐとともに、未編集領域とのエッジずれを防いでいる。
最後に編集終了点でのトラッキング制御について図３、図４を参照して説明する。図３は編集中のトラッキングシフトした状態であり、図３の編集終了点で編集が終了した場合未編集の先頭トラックは図３のようにトラック痩せが生じる。
図４は本発明での編集終了点でのトラック構成である。編集終了点では、インサート編集終了司令を受けるとトラッキングシフト装置により、トラッキングをインサート中と逆方向にシフトさせる動作を始める。その時のシフト量はシフト量変化装置により決定され、シフト量変化装置はトラック数カウンタのカウント値によりトラックシフト量を変化させ、トラックシフトを段階的に行う。  トラック数カウンタは、トラックを走査するヘッドの切り替え回数に等しいため、回転シリンダの回転周期の１／２の周期で切り替わり、ヘッドの切り替え信号であるＨＩＤ信号によりカウントされるカウンタであり、シフト量変化装置は、最終シフト位置までのシフト量を複数個に分割しトラック数カウンタＮカウント毎シフト量を増やしてゆき、最終シフト量をトラック幅方向の中心とヘッドのトラック幅方向の中心が一致する位置になるようにシフト量を定める、このことによりトラックシフトを段階的にシフトしてゆくことが可能となり、各トラックの急激なトラック痩せを防ぐ事ができる。
【００１１】
インサート終了指令は遅延器により遅らされ上記のトラックシフト動作が完了した後に、キャプスタン制御器、情報書き込み制御器に送られ、インサート編集動作を終わらせる。
【００１２】
【発明の効果】
以上のように、上記構成にてインサート編集を行えば、インサート編集の終了点で未編集領域の先頭トラックのトラック痩せを防止する事ができる。
【図面の簡単な説明】
【図１】本発明の実施の形態におけるブロック図
【図２】従来例における記録トラックの構成図
【図３】従来例におけるインサート編集終了時におけるトラック構成図
【図４】本発明の実施形態におけるインサート編集終了時におけるトラック構成図
【符号の説明】
１  磁気テープ
２ａ、２ｂ  磁気ヘッド
３  シリンダ
４  シリンダ制御器
５  トラッキング誤差検出器
６  位相制御器
７  コンパレータキャプスタンモータ
８  キャプスタン制御器
９  遅延器
１０  シフト器
１１  ＨＩＤカウンタ
１２  情報書き込み制御器
１３  編集制御管理装置
１４  シフト量変化装置
【図１】
2004185712.tif 000003
【図２】
2004185712.tif 000004
【図３】
2004185712.tif 000005
【図４】
2004185712.tif 000006